(57)【要約】【課題】底面部が平面状の装飾部材を取付金具に容易に安定して固定できる装飾具を提供する。【解決手段】略平面状に形成された底面部１１１を備えた装飾部材１１０と、装飾部材１１０が取り付けられる取付部１２０及び被装飾部材１０の１面から被装飾部材１０の穴部１１に挿入され止具３０が嵌着される脚部１３０を備えた取付金具１４０とを備える装飾具１００において、取付部１２０は装飾部材１１０の底面部１１１が配置される平面状の載置部１２１と、載置部１２１の周縁部に立設配置され、装飾部材１１０の側面に密着するように塑性変形されて装飾部材を取付金具に固定する固定縁部１２２とを備え、装飾部材１１０の底面部１１１と載置部との間には、装飾部材１１０が取付金具１４０に固定されるとき弾性変形して装飾部材１１０と載置部１２１とに密着して装飾部材１１０と取付金具１４０を押圧する金属薄板１５０を配置した。【選択図】図４
0003137043.tif 000002
【実用新案登録請求の範囲】
【請求項１】
略平面状に形成された底面部を備えた装飾部材と、
前記装飾部材が取り付けられる取付部及び被装飾部材の１面から被装飾部材に形成された穴部に挿入され反対面から止具が嵌着される脚部を備えた取付金具と、を備える装飾具において、
前記取付部は、前記装飾部材の底面部が配置される平面状の載置部と、この載置部の周縁部に立設配置され、前記装飾部材が載置部に載置された状態で基部から上方にかけて前記装飾部材の側面に接触するように塑性変形されて前記装飾部材を前記取付金具に固定する固定縁部とを備え、
前記装飾部材の底面部と前記載置部との間には、前記装飾部材が前記台座に固定されるとき弾性変形して前記装飾部の底面部と前記載置部とに接触して前記装飾部と前記取付金具を押圧する弾性部材が配置されていることを特徴とする装飾具。
【請求項２】
前記脚部は前記取付部と別体に形成され、前記取付部の載置部に配置される平板部と、前記取付部に形成された穴部から突出形成される突出脚部とを備えることを特徴とする請求項１記載の装飾具。
【請求項３】
前記弾性部材は、金属製薄板で構成されることを特徴とする請求項１又は２記載の装飾具。
【考案の詳細な説明】
【技術分野】
【０００１】
本考案は、装飾具に係り、特に装飾部材と、前記装飾部材が取り付けられる取付部及び被装飾部材の１面から被装飾部材に形成された穴部に挿入され反対面から止具が嵌着される脚部を備えた取付金具とを備える装飾具に関する。
【背景技術】
【０００２】
革製品、布製品等の被装飾部材に、ガラス、合成樹脂、金属、貴石等からなる玉型、ハート型、星形等様々な形状の装飾部材を配置するに際しては、装飾部材自体に貫通孔を開設し、糸により装飾部材を被装飾部材に固定したり、固定用の金具を使用したりする方法が一般的である。
【０００３】
従来固定用の金具を用いるものとして、特許文献１に記載のものがある。この装飾具は、錐形の底部を有する装飾部材と、装飾部材が保持される保持部を有する固定部とで構成されており、固定部は保持部から装飾体の錐係底部の先端部を囲み延出する略筒状の挿通部が設けられている雄部と、挿通部が挿通される挿通孔を有する雌部とで構成され、挿通部を被装飾体に穿設される貫通孔に貫通させ、雄部と雌部とをかしめて被装飾体に固定するようにしたものである。
【特許文献１】特開２００４−３３７３５４号公報
【考案の開示】
【考案が解決しようとする課題】
【０００４】
しかしながら、上述した従来の装飾具にあっては、装飾部材の形状は錐形の底部を備えるものを対象とするものであり、底部が平面状をなしている一般的な形状の装飾部材を固定することは難しい。
【０００５】
即ち、一般的にこのような装飾部材はその寸法が小さくため、また、その底面が平面状をなしているため、取付金具の周囲を小食部材にかしめて取り付けたとしても、装飾部材の平面状の底部と取付金具とが面接触しにくく、両者を確実に安定して固着することが難しい。これに対処して装飾部材と取付金具とを接着材で固着するものとすると、接着材がはみ出て装飾部材に付着し美観を損ねるため、接着材を拭き取るという手間がかかることになる。
【０００６】
そこで、本考案は、底部が平面状の装飾部材を取付金具に容易に安定して固定できる装飾具を提供することを目的とする。
【課題を解決するための手段】
【０００７】
請求項１の考案は、略平面状に形成された底面部を備えた装飾部材と、前記装飾部材が取り付けられる取付部及び被装飾部材の１面から被装飾部材に形成された穴部に挿入され反対面から止具が嵌着される脚部を備えた取付金具とを備える装飾具において、前記取付部は、前記装飾部材の底面部が配置される平面状の載置部と、この載置部の周縁部に立設配置され、前記装飾部材が載置部に載置された状態で基部から上方にかけて前記装飾部材の側面に接触するように塑性変形されて前記装飾部材を前記取付金具に固定する固定縁部とを備え、前記装飾部材の底面部と前記載置部との間には、前記装飾部材が前記取付金具に固定されるとき弾性変形して前記装飾部の底面部と前記載置部とに接触して前記装飾部と前記取付金具を押圧する弾性部材が配置されていることを特徴とする装飾具である。
【０００８】
請求項２の考案は、請求項１記載の装飾具において、前記脚部は前記取付部と別体に形成され、前記取付部の載置部に配置される平板部と、前記取付部に形成された穴部から突出形成される突出脚部とを備えることを特徴とする。
【０００９】
請求項３の考案は、請求項１又は２記載の装飾具において、前記弾性部材は、金属製薄板で構成されることを特徴とする。
【考案の効果】
【００１０】
本考案に係る装飾具によれば、装飾部材の底面部と載置部との間には、装飾部材が取付金具に固定されるとき弾性変形して前記装飾部の底面部と前記載置部とに接触して前記装飾部と前記取付金具とを押圧する弾性部材が配置されているから、装飾部材を取付金具の載置部に配置してかしめることにより、装飾部材の周囲を取付金具の固定縁部で固定することができる他、装飾部材と載置部の間に配置した弾性部材が変形して装飾部と取付金具とを押圧するから装飾部材は取付金具にがた付きなく安定した状態で固定される。
【考案を実施するための最良の形態】
【００１１】
以下本考案を実施するための最良の形態を図面に基づいて説明する。図１は第１の実施の形態例に係る装飾具を示す分解斜視図である。装飾具１００は、例えばガラス、合成樹脂、貴石等からなるドーム形の装飾部材１１０を取付金具１４０に取り付けられて構成されている。取付金具１４０は真鍮製であり、装飾部材１１０が取り付けられる取付部１２０と革製品などの被装飾部材１０に開設された穴部１１に差し込まれる脚部１３０とから構成されている。
【００１２】
本例では、装飾具１００は、被装飾部材１０に取り付けられたとき被装飾部材１０から突出する脚部１３０に止具３０が嵌め込まれ被装飾部材１０に固定される。
【００１３】
装飾部材１１０は、その底部１１１（図２参照）が平面状に形成されている。また、取付部１２０は、前記装飾部材１１０が配置される略平面状の載置部１２１が形成されている。載置部１２１は、前記装飾部材１１０の底面部１１１と略同一の形状に形成されている。また、載置部１２１の周縁には、固定縁部１２２が立設されている。この固定縁部１２２は、前記装飾部材が載置部に載置された状態で基部から上方にかけて前記装飾部材の側面に密着するように塑性変形されて前記装飾部材を前記取付金具に固定する。
【００１４】
脚部１３０は、載置部１２１に配置される平板部１３１と、平板部１３１から突出形成された中空の突出脚部１３２とを備えている。突出脚部１３２には２個所に没入部１３３が形成され、この没入部１３３が形成されることにより突出脚部１３２には扁平部１３４が形成され、止具３０が固定されるようになっている。
【００１５】
また、取付部１２０には、前記脚部１３０の平板部１３１配置用の配置凹部１２３、突出脚部１３２挿入用の穴部１２４が形成されている。
【００１６】
次に装飾部材１１０の取付部１２０への取り付け状態、及び装飾具１００の被装飾部材１０への取り付け状態について説明する。図２は装飾具のかしめ組み立ての状態を示す図１中のＣ−Ｃ線に相当する拡大断面図、、図３は組み立てられた装飾具の被装飾部材への取付状態を示す図１中のＣ−Ｃ線に相当する断面図、、図４は装飾具を被装飾部材に取り付けた状態を示す図１中のＣ−Ｃ線に相当する断面図である。
【００１７】
本例では、装飾部材１１０は取付部１２０に金属薄板１５０を挟んで配置され、固定縁部１２２が塑性変形されて装飾部材１１０の周囲を取付部１２０にかしめられ取り付けられる。即ち、装飾部材１１０を取付部１２０に固定するには、装飾部材１１０を取付部１２０の載置部１２１に載置する。このとき、取付部１２０には脚部１３０を配置する。即ち脚部１３０の平板部１３１を配置凹部１２３に配置し、穴部１２４から突出脚部１３２を突出させる。
【００１８】
そして、本例では、装飾部材１１０の底面部１１１と、取付部１２０の載置部１２１との間に弾性部材である金属薄板１５０を配置し、固定縁部１２２をかしめ工具でかしめる。本例では、かしめ工具４０は、その本体４１に凹部４２が形成されており、凹部４２の内壁が固定縁部１２２に接触して固定縁部１２２を内側に折り曲げ塑性変形させる。
【００１９】
すると、金属薄板１５０は、図３に示すように、弾性的に変形して湾曲し、その周囲を載置部１２１の周縁（図中符号Ａ）に接触し、その中央部を装飾部材１１０の底面部１１１の略中央部（図中符号Ｂ）に接触して、装飾部材１１０を取付部１２０から押し出す方向に押圧する。このため、装飾部材１１０は、取付部１２０に固定縁部１２２で取付部１２０に固定されると共に、金属薄板１５０で上方に押圧される。このため、装飾部材１１０は、取付部１２０にがた付くことなく安定して固定される。
【００２０】
このように取付金具１４０に装飾部材１１０が取り付けられた状態で、図４に示すように、被装飾部材１０の穴部１１から突出した脚部１３０に台座２０を介して止具３０が嵌入され、装飾具１００は、被装飾部材１０に取り付けられる。
【００２１】
本例では、台座２０は、フェルト製の所定厚さを備えた柔軟な部材であり、円形の本体２１に穴部２２が開設されて形成される。また、止具３０は真鍮製であり、円形の基部３１に筒状の挿入部３２を備えて形成されており、挿入部３２の内部に挿入された突出脚部１３２は、没入部１３３により形成された扁平部１３４で挿入部３２に固定される。
【００２２】
以上のように、本例に係る装飾具１００によれば、装飾部材１１０を取付部１２０に容易且つがた付くことなく確実に固定することができる。
【００２３】
図５は第２の実施の形態例に係る装飾具を示す分解斜視図である。本例に係る装飾具２００は、装飾部材２１０の形状を星形とし、これに伴い取付金具２４０の取付部２２０の及び金属薄板２５０の形状を変更している他は、第１の例と同一の構造を備える。ここで、取付部２２０は、載置部２２１、固定縁部２２２、配置凹部２２３、穴部２２４を備える。尚、平板部２３１及び突出脚部２３２からなる脚部２３０は上記第１の例と同様の構成を備える。
【００２４】
また、装飾部材２１０の取付部２２０への固定、装飾具２００の被装飾部材１０への取付は第１の例と同様であるのでその説明は省略する。
【００２５】
本例によっても、装飾部材２１０を取付部２２０に容易且つがた付くことなく確実に固定することができる。
【００２６】
尚上記例では、装飾部材の形状はドーム型、星形としたが、装飾部材の形状などのようなものでもよい。この場合取付金具及び金属薄板の形状を装飾部材の形状に合わせて選択すればよい。また、装飾部材と取付金具弾性部材との間には、金属薄板を配置したが、これは弾性部材であれば金属以外の材質の薄板であってもよい。
【図面の簡単な説明】
【００２７】
【図１】第１の実施の形態例に係る装飾具を示す分解斜視図である。
【図２】装飾具のかしめ組み立ての状態を示す図１中のＣ−Ｃ線に相当する拡大断面図である。
【図３】組み立てられた装飾具の被装飾部材への取付状態を示す図１中のＣ−Ｃ線に相当する断面図である
【図４】装飾具を被装飾部材に取り付けた状態を示す図１中のＣ−Ｃ線に相当する断面図である。
【図５】第２の実施の形態例に係る装飾具を示す分解斜視図である。
【符号の説明】
【００２８】
１０  被装飾部材
２０  台座
２１  本体
２２  穴部
３０  止具
３１  基部
３２  挿入部
４０  かしめ工具
４１  本体
４２  凹部
１００  装飾具
１１０  装飾部材
１１１  底面部
１２０  取付部
１２１  載置部
１２２  固定縁部
１２３  配置凹部
１２４  穴部
１３０  脚部
１３１  平板部
１３２  突出脚部
１３３  没入部
１４０  取付金具
１５０  金属薄板
２００  装飾具
２１０  装飾部材
２２０  取付部
２２１  載置部
２２２  固定縁部
２２３  配置凹部
２２４  穴部
２３０  脚部
２３１  平板部
２３２  突出脚部
２４０  取付金具
２５０  金属薄板
【図１】
0003137043.tif 000003
【図２】
0003137043.tif 000004
【図３】
0003137043.tif 000005
【図４】
0003137043.tif 000006
【図５】
0003137043.tif 000007